Podtech/llm-jp-corpus-v4-ja_patent huggingface dataset:
(57)【要約】      （修正有）【課題】本発明は、日本語入力の親指シフトキーボードに於いて、右手指打鍵キー配置の一部には入力作業時に指がホームポジションから離れることがある。記号キー、Ｅｎｔｅｒ・改行キー、シフトキー等の適切な増設や配置で、効率よく文字入力が可能な親指シフトキーボードを提供する。【解決手段】キーボード１列目は、増設Ｅｎｔｅｒ・改行キー１を親指左・無変換キーの左隣に配置し、このキーの打鍵は左親指が受け持つ。キーボード２列目は、シフトキー2019192181.tif 000004仮名「ぉ」キーの右隣に配置する。キーボード３列目は、Ｅｎｔｅｒ・改行キー３を取消キーの右隣に配置する。【選択図】図１
2019192181.tif 000002
【特許請求の範囲】
【請求項１】
親指シフトキーボード１列目。親指左・無変換キー左隣に、左親指で打鍵するＥｎｔｅｒ・改行キー（１）を増設・配置した新標準親指シフトキーボード。
【請求項２】
親指シフトキーボード２列目。捨て仮名「ぉ」キー右隣にシフトキー（２）を配置した新標準親指シフトキーボード。
【請求項３】
親指シフトキーボード３列目。取消キーの右隣にＥｎｔｅｒ・改行キー（３）を配置した新標準親指シフトキーボード。
【発明の詳細な説明】
【技術分野】
【０００１】  本発明はコンピュータの親指シフトキーボードに於いて、文字入力作業者の両手指の打鍵範囲を限りなく狭められる適切な位置にキーを配置し。思考を妨げることのない文字入力の高効率化を目指す親指シフトキーボードに関するものである。
【背景技術】
【０００２】  ひらがな・カタカナ・漢字混交の複雑な言語である日本語の文字入力方式用としての親指シフトキーボードは優れたものであるが、入力作業者の右手指の打鍵範囲はやや広く、ホームポジョションから離れてしまう不便さがある。
【発明の概要】
【発明が解決しようとする課題】
【０００３】  本発明は日本語入力の親指シフトキーボードに於いて、文字入力作業中の文字キーを除く、右手指打鍵キー配列の一部には、入力作業時にホームポジションから離れることがある。各キー打鍵時にはホームポジションから出来るだけ離れないことを鉄則として、記号、Ｅｎｔｅｒ・改行、シフト、後退、取消等キーの、増設・配置を適切に行い入力作業者の思考を妨げずに、効率よく文字入力が可能な親指シフトキーボードを提供する。【０００４】  右手指で打鍵するＥｎｔｅｒ・改行キー、シフトキー等はホームポジションからやや遠く、打鍵時には指がホームポジションから離れる不便さがある。
【課題を解決するための手段】
【０００５】  キーボード１列目。Ｅｎｔｅｒ・改行キー１を親指左・無変換キー左隣に増設し、このキーの打鍵は左親指が受け持つ。【０００６】  キーボード２列目。シフトキー２を、右手指ホームポジション圏に、より近づけるべく
2019192181.tif 000003
【０００７】  キーボード３列目。Ｅｎｔｅｒ・改行キー３を取消キーの右隣に配置する。
【発明の効果】
【０００８】  本発明に於いては、効き指ながらも比較的打鍵機会の少ない左親指に、Ｅｎｔｅｒ・改行キー打鍵を割り当てることで、それぞれの入力モード（親指シフト、ローマ字、英文）で、右手指の打鍵負担軽減となる。【０００９】  キーボード右側のシフトキーとＥｎｔｅｒ・改行キーを、右手ホームポジション圏に、より近づけるべく右手指の打鍵範囲が狭められ、入力作業者の思考を妨げない自然な文字入力の高効率化に寄与する。
【図１】
2019192181.tif 000005
【手続補正書】
【提出日】平成30年8月31日(2018.8.31)
【手続補正１】
【補正対象書類名】明細書
【補正対象項目名】全文
【補正方法】変更
【補正の内容】
【発明の詳細な説明】
【技術分野】
【０００１】  本発明は、コンピューターの親指シフトキーボードに於いて、文字入力作業者の両手指の打鍵範囲を、限りなく狭められる適切な位置にキーを配置し、文字入力の高効率化を目指す親指シフトキーボードに関するものである。
【背景技術】
【０００２】  ひらがな・カタカナ・漢字混交の複雑な言語である日本語の文字入力方式用としての、親指シフトキーボードは優れたものであるが、右手指の打鍵範囲はやや広く、打鍵時に指がホームポジョションから離れてしまう不便さがある。
【発明の概要】
【発明が解決しようとする課題】
【０００３】  本発明は、日本語入力の親指シフトキーボードに於いて、右手指打鍵キー配置の一部には、入力作業時に指がホームポジションから離れることがある。各キー打鍵時には、指がホームポジションからできるだけ離れないことを鉄則として、記号キー、Ｅｎｔｅｒ・改行キー、シフトキー等の、増設や配置を適切に行い、効率よく文字入力が可能な親指シフトキーボードを提供する。【０００４】  右手指で打鍵するＥｎｔｅｒ・改行キー、シフトキー等は、ホームポジションからやや遠く、打鍵時には指がホームポジションから離れる不便さがある。
【課題を解決するための手段】
【０００５】  キーボード１列目。増設Ｅｎｔｅｒ・改行キー１を親指左・無変換キーの左隣に配置し、このキーの打鍵は左親指が受け持つ。【０００６】  キーボード２列目。シフトキー２を右手指ホームポジション圏に、より近づけるべく記
2019192181.tif 000006
【０００７】  キーボード３列目。Ｅｎｔｅｒ・改行キー３を取消キーの右隣に配置する。
【発明の効果】
【０００８】  本発明に於いては、利き指ながらも比較的打鍵頻度の少ない左親指に、増設Ｅｎｔｅｒ・改行キーの打鍵を割り当てることで、右手指の打鍵負担軽減となる。【０００９】  キーボード右側のシフトキーとＥｎｔｅｒ・改行キーを、右手指ホームポジション圏により近づけてやることで右手指の打鍵範囲が狭められ、文字入力の高効率化に寄与する。
【図面の簡単な説明】
【００１０】
【図１】図１は、新標準親指シフトキーボードのキー配列を示した図である。
【符号の説明】１．  増設Ｅｎｔｅｒ・改行キー
２．  シフトキー
３．  Ｅｎｔｅｒ・改行キー
【手続補正書】
【提出日】平成30年8月31日(2018.8.31)
【手続補正１】
【補正対象書類名】図面
【補正対象項目名】全図
【補正方法】変更
【補正の内容】
【図１】
2019192181.tif 000007
(57)【要約】【課題】      レーザーを使用して電動ドリルの大まかな穴あけ角度を作業者自身が目視確認できるようにする機能を提供する。【解決手段】ドリル本体(4)の手などにさえぎられない場所にレーザーモジュール(3)を備え、加工対象物に複数のレーザー光をわずかに照射軸角度を変えて照射(2)できるように設置する。【選択図】図1
2019126880.tif 000002
【特許請求の範囲】
【請求項１】
複数のレーザーを異なる角度で加工対象物に照射して工具と加工対象物との相対角度を目視確認すること
【発明の詳細な説明】
【技術分野】
【０００１】
従来、手で保持して使用するタイプの電動ドリルは作業者の感覚に依存する形で加工物との相対角度を決めていた
【発明の概要】
【発明が解決しようとする課題】
【０００２】
これは次のような欠点があった
(イ)加工対象物に開く穴の角度が作業者の感覚に依存するため、意図しない角度での加工が発生しやすかった
本発明は、以上のような欠点をなくすためになされたものである
【課題を解決するための手段】
【０００３】
(ロ)電動ドリル(4)にレーザー発信機(3)を取り付け、加工対象物に対して
取り付け角度が異なる複数のレーザー(2)を加工面に照射(1)、
照射されたレーザー同士の位置関係から電動ドリルの相対角度を目視で判断、適切な角度になるように作業者は姿勢を制御することで目的の角度で加工する
【発明の効果】
【０００４】
(ハ)加工対象物と電動ドリルの相対角度を把握しやすくなるため姿勢の修正がより正確になり、想定外の角度での加工を防ぐことができる
【図面の簡単な説明】
【０００５】
【図１】本発明の上面図である
【図２】本発明のドリルの姿勢とレーザーの形の対応表である
【発明を実施するための形態】
【０００６】
以下、本発明を実施するための形態について説明する。
【実施例１】
【０００７】
ドリル本体(4)の手などにさえぎられない場所にレーザーモジュール(3)を備え、
加工対象物に複数のレーザー光をわずかに照射軸角度を変えて照射(2)でき   るように設置する。
ドリルの長さにあわせて照射角度を変更できると良い。
また、鏡やプリズムなどのレーザーの向きを変更できるもので照射位置を
調整しても良い。
【符号の説明】
【０００８】
1  加工対象物に照射されたレーザー
2  レーザー光
3  レーザーモジュール
4  電動ドリル本体
5   照射軸角度の異なるレーザー光
【産業上の利用可能性】
【０００９】
大規模な設備の使用が困難な様々な場所への移動が必要な設備修理や小規模工事、個人による日曜大工などの用途に適用できる
【図１】
2019126880.tif 000003
【図２】
2019126880.tif 000004
(57)【要約】【課題】本発明は、固定子および回転子を囲むとともに良好な熱伝導体である電気絶縁油を収容する油密フレームを備えた電気モータに関する。【解決手段】前記電気モータにおいて、油が、固定子および回転子によって空いたままにされたフレーム内のほとんど全ての空間内に閉じ込められていることを特徴とする。【選択図】図１
2019126247.tif 000002
【特許請求の範囲】
【請求項１】
固定子および回転子を囲むとともに良好な熱伝導体である電気絶縁油を収容する油密フレームを備えた電気モータにおいて、前記油が、前記フレーム内の前記固定子および前記回転子によって空いたままにされたほとんど全ての空間内に閉じ込められていることを特徴とする電気モータ。
【請求項２】
前記油は生分解性であることを特徴とする、請求項１に記載の電気モータ。
【請求項３】
前記油は、エステル系であることを特徴とする、請求項１または２に記載の電気モータ。
【請求項４】
前記油の絶縁耐力は、２７ｋＶ以上であることを特徴とする、請求項１から３の一項に記載の電気モータ。
【請求項５】
２５°における前記油の熱伝導率は、０．１２  ｗ／ｍ．Ｋ以上であることを特徴とする、請求項１から４の一項に記載の電気モータ。
【請求項６】
電気モータの加熱を遅延させ、その電気効率を向上させる手続きにおいて、回転子および固定子によって空いたままにされたフレーム内の空間が、油で満たされることを特徴とする手続き。
【請求項７】
空いたままにされた前記空間の体積の６０から１００％が満たされていることを特徴とする、請求項６に記載の手続き。
【請求項８】
空いたままにされた前記空間の前記体積の９０から９９％が満たされていることを特徴とする、請求項７に記載の手続き。
【請求項９】
固定子および回転子を囲むとともに良好な熱伝導体である電気絶縁油を収容する油密フレームを有する電気モータの出力シャフト（５）に回転時に剛的に接続されるインペラを備えたモータ・ポンプ・ユニットにおいて、前記油が、前記固定子および前記回転子によって空いたままにされた前記フレーム内のほとんど全ての空間内に閉じ込められていることを特徴とするモータ・ポンプ・ユニット。
【発明の詳細な説明】
【技術分野】
【０００１】
本発明は、電気モータに関し、より詳細には、電気モータの出力シャフトに回転時に剛的に接続されるインペラを備えるモータ・ポンプ・ユニットに該当する。モータは、固定子および回転する回転子を囲む油密フレームを有する。
【背景技術】
【０００２】
モータが過熱するとき、例えば、モータ・ポンプ・ユニットがもはや浸漬されていないとき、ポンプは停止する。
【発明の概要】
【発明が解決しようとする課題】
【０００３】
本発明は、より長くにわたって動作できるとともに、電気効率が驚くほど改善されるモータによってこの課題を克服する。
【課題を解決するための手段】
【０００４】
本発明の主題は、固定子および回転子を囲むとともに良好な熱伝導体でもある電気絶縁油を収容する油密フレームを備えた電気モータにおいて、油が、固定子および回転子によってフレーム内に残されたほとんど全ての自由空間内に閉じ込められていることを特徴とする電気モータである。
【０００５】
本発明は、モータの加熱を遅延させるおよび／または電気効率を向上させる手続きにおいて、油が、回転子および固定子によって空いたままにされたフレーム内の空間に閉じ込められていることを特徴とする手続きも想定する。
【０００６】
好ましくは、フレーム内の固定子および回転子によって占められていない空間の体積の６０％から１００％まで、および特に９０％から１００％まで、または９９％が満たされている。
【０００７】
油は、閉じ込められており、再循環系統によってモータの外側に運ばれない。モータは、油面を確認する必要がないので使用が簡単である。
【０００８】
油は良好な熱伝導体であるので、モータは、さほど急速に加熱せず、モータが浸漬されていない場合でもより長くにわたって動作することができ、予想に反して、油中のモータの可動部品の摩擦の影響が差し引かれるにも関わらず、モータの電気効率が改善される。モータの効率は、消費される電力に対してシャフトで利用可能な出力を意味する。
【０００９】
２５℃における油の熱伝導率は、特に、０．１２Ｗ／ｍ．Ｋ以上であってもよく、その絶縁耐力は２７ｋＶ以上である。
【００１０】
好ましくは、生分解性油が使用され、これによって漏洩があった場合に保護を与える。
【００１１】
このタイプの油の一例として、イソヴォルタイン・バイオ油を挙げることができ、このイソヴォルタイン・バイオ油は、Ｔｏｔａｌから調達でき、高性能合成エステルに基づくものである。２５℃におけるイソヴォルタインの熱伝導率は、０．１４Ｗ／ｍ．Ｋである。その絶縁耐力は、７０ｋＶを超える。この油は、モータの軸受けおよび軸受シールに適合するので特に適している一方、例えば、シリコーン油は、ポンプの動作に悪影響を及ぼす不均一混合物を潤滑油として与える。合成エステルに基づくＭＩＤＥＬオイル７１３１も、特に適している。２５℃におけるＭＩＤＥＬの熱伝導率は、０．１４７Ｗ／ｍ．Ｋである。絶縁耐力は、３０ｋＶを超える。ＨＡＦＡ  Ｄｉｅｌｅｃ油を使用することもできる。
【図面の簡単な説明】
【００１２】
【図１】単なる一例として取り上げられる添付図面において、図１は、本発明によるモータ・ポンプ・ユニットの軸方向断面図を示す。
【発明を実施するための形態】
【００１３】
モータ・ポンプ・ユニットは、固定子３および回転子２を備えた電気モータのフレーム１を備える。回転子２と固定子３の間に空間を含むフレーム１は、破線によって示されている上面４まで油で満たされている。回転する回転子の出力シャフト５はインペラ６を駆動し、インペラ６は矢印Ｆ１による入口カバー７を通じてくみ出される流体を引き込むとともに、矢印Ｆ２による送り管８を通じて流体を排出する。様々なシールには、ｊが付されている。
【００１４】
Ａｍａｒｅｘ  ＮＦ８０−２２０／０４４モータ・ポンプ・ユニットのモータのフレームは、（本出願人から入手できる）油で満たされていたものであり、モータは、フレーム直径が１３５ミリメートルであり、インペラ直径が１９５ミリメートルであり、モータは、毎分１，４５０回転で回転する４極を有する。２．７５リットルの良好な熱伝導体であるＨＡＦＡ  Ｄｉｅｌｅｃｓ電気絶縁油で１時間あたり２０ｍ３の容量でポンプのフレームを満たすことによって、公称出力におけるモータの電気効率は、６８．４％から６９．８％まで増大する。
【図１】
2019126247.tif 000003
【外国語明細書】
2019126247.tif 000004
2019126247.tif 000005
2019126247.tif 000006
2019126247.tif 000007
2019126247.tif 000008
2019126247.tif 000009
2019126247.tif 000010
(57)【要約】【課題】        スウィング時、ゴルフクラブヘッドフェース面の空気抵抗を減少させるクラブヘッドの構造を提供する。【解決手段】    スウィングの際、ヘッドのフェース面からスウィング後方に空気が抜ける細かい通気孔（１）を複数設けたゴルフクラブヘッドの構造を特徴とする。【選択図】図３
2019126691.tif 000002
【特許請求の範囲】
【請求項１】
スウィング時、ゴルフクラブヘッドのフェース面の空気抵抗を減少させる目的で、ヘッドのフェース面からスウィング後方に空気を抜けさせる細かい通気孔（１）を設けたゴルフクラブヘッド。
【発明の詳細な説明】
【０００１】
【技術背景】
【０００２】従来のゴルフクラブのヘッドのフェース面は金属又は合成セラミックの板面で構成されている。
【発明の概要】
【０００３】
【発明が解決しようとする課題】
【０００４】従来のゴルフクラブはスウィングスピードの上昇に従いヘッドにかかる風圧が強くなり、さらなるヘッドスピードの上昇に困難があった。
【課題を解決するための手段】
【０００５】クラブフェース面からスウィング後方に抜ける細かい通気孔を設けヘッドの風圧を減少させる。
【発明の効果】
【０００６】スウィングの際ヘッドスピードの向上、通気孔の質量の分ヘッドの軽量化にもつながり、フェース面積、スイートスポットの拡大等ゴルフクラブヘッド設計上のメリットは大きい。
【図面の簡単な説明】
【０００７】
【図１】  本説明の正面図である。
【図２】  本説明の裏面図である。
【図３】  本説明の側面断面図である。
【発明を実施するための形態】
【０００８】以下、本発明を実施するための形態について説明する。
本発明の説明を行うにあたり、ゴルフクラブヘッドはアイアンクラブを一例として図面を添えて行う。
ゴルフクラブヘッドのフェース面の空気抵抗を低減するために  ヘッド前面からスウィング後方にぬけるように通気孔（１）を多数設ける。通気孔の数量、位置、形状はヘッドの材質、強度、ヘッド自体の形状（アイアン、ユーティリティ等）での設計上の裁量の範囲であるが、本発明の説明上（図１）には通気孔の形状は円形（１）を例として示した。
【符号の説明】
【０００９】１  通気孔
２  ヘッドのフェース面
３  ヘッドの裏面
４  ヘッドの断面
【図１】
2019126691.tif 000003
【図２】
2019126691.tif 000004
【図３】
2019126691.tif 000005
(57)【要約】      （修正有）【課題】マイバスケットから購入物が落下したり、他人に見られたりするのをワンタッチで簡単に防ぐことが出来るカバーを提供する。【解決手段】両端にゴムを縫い付けた少し大きめの布１でマイバスケットの上部開口部を覆い、両端に固定する。【選択図】図１
2019126692.tif 000002
【特許請求の範囲】
【請求項１】
マイバスケットの上部開口部に装着するカバーであって、両端にゴムを装着し、ワンタッチで着脱できるカバー。
【発明の詳細な説明】
【技術分野】
【０００１】この発明は、買い物時のマイバスケット上部に用いるワンタッチで装着可能なカバーに関するものである。
【背景技術】
【０００２】近年、レジ袋の有料化が進み、買い物の際、個人用のマイバッグやマイバスケットを持参する人々が増えた。【０００３】その中でも個人用のかごを持参する場合、店員が購入物をかごに移し替えてくれるため、自身で入れ替える手間が省け、非常に時間の節約につながる。【０００４】しかし、購入後、購入物が落下したり、購入物を他人に見られたり、欠点がみられた。【０００５】そこで、特許文献１又は２のカバーをかごの上部に取り付けると、上記の欠点をカバーできる。【０００６】しかし、特許文献Ｉ又は２は  取り付けるのに時間を要す。【０００７】この発明はワンタッチで簡単に装着可能であり、また、内容物がバスケットから少しはみ出していても、装着することが出来る。また、布で作ることにより、洗濯可能で、清潔なまま何度でも使用可能である。
【先行技術文献】
【特許文献】
【０００８】
【特許文献１】特許４１６８１７８
【特許文献２】特開２０１６−０８３３３０
【発明の概要】
【発明が解決しようとする課題】
【０００９】解決しようとする問題は、マイバスケットにて購入後のものが、バスケットから落下したり、また、他人から見られたりするのを簡単に防ぐことを課題とする。
【問題を解決するための手段】
【００１０】本発明は、マイバスケットの上部開口部を布でカバーし、外れないように両端をゴムで固定することを最も主要な特徴とする。また、少し大きめの布を使用することで、少しバスケットから購入物がはみ出ていても、問題なくカバーできる。
【発明の効果】
【００１１】マイバスケットの上部を覆うことにより、購入物が落下したり、他人から見られたりすることを防ぐ。
【００１２】少し大きめの布を使用することにより、購入物がバスケットからはみ出していても問題なくカバーできる。
【００１３】両端にゴムを固定しているので、ワンタッチで簡単に着脱できる。
【００１４】布とゴムでできているので、折りたたむことが出来、持ち運びが楽である。また、洗濯が可能であるため、清潔に使用し続けることが出来る。
【発明を実施するための形態】
本発明を、マイバスケットの上部開口部で広げ、両端のゴムが通されている部分をひっかけて使用する。
【図面の簡単な説明】
【図１】実際にマイバスケットにワンタッチカバーを取り付けた図面である。
【図２】バスケットカバーを広げた図面である。
【符号の説明】１  布部
２  ゴムを縫い付けて固定
３  切り込み
４  ゴムを内側に通す
【図１】
2019126692.tif 000003
【図２】
2019126692.tif 000004
(57)【要約】【課題】足裏アーチを補正する新しい足裏当接具の提供。【解決手段】  足裏に対応する輪郭を有する基材と、その基材の足裏当接面とは反対側の面上に形成された第１突起部と第２突起部を有する足裏当接具であって、前記第１突起部は、栂指球よりも指先側に当接する領域から、栂指球と土踏まずの境界域またはその近傍に当接する領域へ向けて、テーパー状に盛り上がる形状を有しており、なおかつ、前記第１突起部は、足裏左右方向（前記基材の短軸方向）の断面を見たときに中央部が最も厚く、左右に行くにしたがって厚みが減少しており、前記第２突起部は、かかと又はかかと近傍に当接する領域から、土踏まずが当接する領域へ向けて、テーパー状に盛り上がる形状を有している、足裏当接具。【選択図】なし【特許請求の範囲】
【請求項１】
足裏に対応する輪郭を有する基材と、その基材の足裏当接面とは反対側の面上に形成された第１突起部と第２突起部を有する足裏当接具であって、
前記第１突起部は、栂指球よりも指先側に当接する領域から、栂指球と土踏まずの境界域またはその近傍に当接する領域へ向けて、テーパー状に盛り上がる形状を有しており、なおかつ、前記第１突起部は、足裏左右方向（前記基材の短軸方向）の断面を見たときに中央部が最も厚く、左右に行くにしたがって厚みが減少しており、
前記第２突起部は、かかと又はかかと近傍に当接する領域から、土踏まずが当接する領域へ向けて、テーパー状に盛り上がる形状を有している、足裏当接具。
【請求項２】
前記基材が可撓性を有しており、無荷重負荷時に足裏表面よりも扁平な形状を有している、請求項に記載の足裏当接具。
【請求項３】
前記第１突起部と前記第２突起部の間に切り欠きを有する、請求項１または２に記載の足裏当接具。
【請求項４】
前記第１突起部と前記第２突起部の間に前記基材の表面が露わな領域を有する、請求項３に記載の足裏当接具。
【請求項５】
前記切り欠きが、土踏まずが当接する領域の８０％以上を占める、請求項３または請求項４に記載の足裏当接具。
【請求項６】
前記基材の長軸方向の前記第１突起部断面が三角形である、請求項１〜５のいずれか１項に記載の足裏当接具。
【請求項７】
前記基材の長軸方向の前記第１突起部断面が直角三角形である、請求項６に記載の足裏当接具。
【請求項８】
前記基材の短軸方向の前記第１突起部断面が三角形である、請求項１〜７のいずれか１項に記載の足裏当接具。
【請求項９】
前記基材の短軸方向の前記第１突起部断面が二等辺三角形である、請求項８に記載の足裏当接具。
【請求項１０】
前記基材の短軸方向の前記第１突起部断面の最厚部が、人差指と中指の間を通る長軸線上にある、請求項１〜９のいずれか１項に記載の足裏当接具。
【請求項１１】
前記基材の短軸方向の前記第１突起部断面の最厚部が、栂指球の外側（親指から小指に向かう短軸方向）の窪みに当接する、請求項１〜１０のいずれか１項に記載の足裏当接具。
【請求項１２】
前記基材の長軸方向の前記第２突起部断面が三角形である、請求項１〜１１のいずれか１項に記載の足裏当接具。
【請求項１３】
前記基材の長軸方向の前記第２突起部断面が直角三角形である、請求項１２に記載の足裏当接具。
【請求項１４】
前記第２突起部が、かかと当接領域全体に渡って前記基材上に形成されている、請求項１〜１３のいずれか１項に記載の足裏当接具。
【請求項１５】
履き物の中敷きとして用いるインソールである、請求項１〜１４のいずれか１項に記載の足裏当接具。
【請求項１６】
履き物が、サンダル、スリッパ、シューズのいずれかである、請求項１５に記載の足裏当接具。
【請求項１７】
靴下の表面に固定するために用いる、請求項１〜１４のいずれか１項に記載の足裏当接具。
【請求項１８】
足への固定具を用いて足へ固定するために用いる、請求項１〜１７のいずれか１項に記載の足裏当接具。
【請求項１９】
前記固定具が、足裏当接具と足を一緒に巻き付けることにより固定するものである、請求項１８に記載の足裏当接具。
【請求項２０】
前記固定具が帯状である、請求項１８または１９に記載の足裏当接具。
【請求項２１】
請求項１〜２０のいずれか１項に記載の足裏当接具を装着した履き物。
【請求項２２】
前記足裏当接具が接着剤または粘着剤で履き物に固定されている、請求項２１に記載の履き物。
【請求項２３】
請求項１〜２０のいずれか１項に記載の足裏当接具を装着した靴下。
【請求項２４】
請求項１〜２０のいずれか１項に記載の足裏当接具と、足への固定具を有する、足への固定用足裏当接具。
【請求項２５】
明細書の各図面に記載された足裏当接具群から選択される足裏当接具、その足裏当接具を装着した履き物または靴下、その足裏当接具と足への固定具とを有する足への固定用足裏当接具。
【請求項２６】
請求項１〜２０のいずれか１項に記載の足裏当接具の腹囲スリム化への使用。
【請求項２７】
請求項１〜２０のいずれか１項に記載の足裏当接具の姿勢矯正への使用。
【請求項２８】
請求項１〜２０のいずれか１項に記載の足裏当接具の生活習慣病の予防または改善への使用。
【発明の詳細な説明】
【技術分野】
【０００１】
本発明は足裏当接具に関する。また本発明は、その足裏当接具を装着した履き物および靴下にも関する。
【０００２】
2019126699.tif 000002
【０００３】
2019126699.tif 000003
【０００４】
2019126699.tif 000004
【０００５】
2019126699.tif 000005
【０００６】
2019126699.tif 000006
【０００７】
2019126699.tif 000007
【０００８】
2019126699.tif 000008
【０００９】
2019126699.tif 000009
【００１０】
2019126699.tif 000010
【００１１】
2019126699.tif 000011
【００１２】
2019126699.tif 000012
【００１３】
2019126699.tif 000013
【００１４】
2019126699.tif 000014
【００１５】
2019126699.tif 000015
【００１６】
2019126699.tif 000016
【００１７】
2019126699.tif 000017
【００１８】
2019126699.tif 000018
【００１９】
2019126699.tif 000019